(57)【要約】【課題】  ５極構成のプラグを用いノイズキャンセル機能の実行化を確保する。【解決手段】  第１のマイク６に入力される第１のノイズ信号を外部機器２２に伝送する第１の導体１１と、第２のマイク８に入力される第２のノイズ信号を外部機器に伝送する第２の導体１３と、第１のノイズ信号に基づいてノイズキャンセル信号生成手段４０によって生成された第１のノイズキャンセル信号と音声信号再生手段３９によって再生された第１の音声信号とが合成された第１の合成信号を第１のスピーカー７に伝送する第３の導体１５と、グランド用の第４の導体１７と、第２のノイズ信号に基づいてノイズキャンセル信号生成手段によって生成された第２のノイズキャンセル信号と音声信号再生手段によって再生された第２の音声信号とが合成された第２の合成信号を第２のスピーカー９に伝送する第５の導体１９とを設けた。【選択図】図４
2008067147.tif 000002
【特許請求の範囲】
【請求項１】
ノイズキャンセル信号生成手段及び音声信号再生手段を有する外部機器に設けられたジャックに連結されると共に音声入出力装置に設けられた第１のマイク、第２のマイク、第１のスピーカー及び第２のスピーカーに接続されるプラグであって、
第１のマイクに入力される第１のノイズ信号を外部機器に伝送する第１の導体と、
第２のマイクに入力される第２のノイズ信号を外部機器に伝送する第２の導体と、
第１のノイズ信号に基づいてノイズキャンセル信号生成手段によって生成された第１のノイズキャンセル信号と音声信号再生手段によって再生された第１の音声信号とが合成された第１の合成信号を第１のスピーカーに伝送する第３の導体と、
グランド用の第４の導体と、
第２のノイズ信号に基づいてノイズキャンセル信号生成手段によって生成された第２のノイズキャンセル信号と音声信号再生手段によって再生された第２の音声信号とが合成された第２の合成信号を第２のスピーカーに伝送する第５の導体とを備えた
ことを特徴とするプラグ。
【請求項２】
上記第１の導体、第２の導体及び第３の導体にそれぞれ電極部と嵌合部を設け、
第１の導体を軸状に形成し、
該第１の導体の嵌合部に外嵌された第１の絶縁体を設け、
該第１の絶縁体に第２の導体を外嵌し、
該第２の導体の嵌合部に外嵌された第２の絶縁体を設け、
該第２の絶縁体に第３の導体を外嵌し、
該第３の導体の嵌合部に外嵌された第３の絶縁体を設け、
該第３の絶縁体に第４の導体を外嵌し、
該第４の導体の外面の一部に取り付けられた第４の絶縁体を設け、
該第４の絶縁体の外面に第５の導体を取り付けた
ことを特徴とする請求項１に記載のプラグ。
【請求項３】
上記第５の導体を板状に形成し、厚み方向における一方の面を第４の絶縁体に取り付けた
ことを特徴とする請求項２に記載のプラグ。
【請求項４】
上記第５の導体に第４の絶縁体の外面の反対方向へ突出された接続用突部を設けた
ことを特徴とする請求項２に記載のプラグ。
【請求項５】
上記第４の絶縁体と第５の導体以外の部分によって略丸軸状に形成し、
第４の絶縁体と第５の導体を略丸軸状の部分の外面に配置した
ことを特徴とする請求項２に記載のプラグ。
【請求項６】
一対の耳介にそれぞれ装着される一対の耳介装着部と該一対の耳介装着部に接続コードを介して接続されたプラグとを備え該プラグがノイズキャンセル信号生成手段及び音声信号再生手段を有する外部機器に設けられたジャックに連結される音声入出力装置であって、
一方の耳介装着部に第１のマイクと第１のスピーカーが内蔵され、
他方の耳介装着部に第２のマイクと第２のスピーカーが内蔵され、
上記プラグに、
第１のマイクに入力される第１のノイズ信号を外部機器に伝送する第１の導体と、
第２のマイクに入力される第２のノイズ信号を外部機器に伝送する第２の導体と、
第１のノイズ信号に基づいてノイズキャンセル信号生成手段によって生成された第１のノイズキャンセル信号と音声信号再生手段によって再生された第１の音声信号とが合成された第１の合成信号を第１のスピーカーに伝送する第３の導体と、
グランド用の第４の導体と、
第２のノイズ信号に基づいてノイズキャンセル信号生成手段によって生成された第２のノイズキャンセル信号と音声信号再生手段によって再生された第２の音声信号とが合成された第２の合成信号を第２のスピーカーに伝送する第５の導体とを設けた
ことを特徴とする音声入出力装置。
【請求項７】
一対の耳介装着部がそれぞれ一対の耳介に装着された状態において、第１のマイクと第２のマイクをそれぞれ第１のスピーカーと第２のスピーカーより鼓膜に対して外側に配置した
ことを特徴とする請求項６に記載の音声入出力装置。
【請求項８】
第１の導体、第２の導体及び第３の導体にそれぞれ電極部と嵌合部を設け、
第１の導体を軸状に形成し、
該第１の導体の嵌合部に外嵌された第１の絶縁体を設け、
該第１の絶縁体に第２の導体を外嵌し、
該第２の導体の嵌合部に外嵌された第２の絶縁体を設け、
該第２の絶縁体に第３の導体を外嵌し、
該第３の導体の嵌合部に外嵌された第３の絶縁体を設け、
該第３の絶縁体に第４の導体を外嵌し、
該第４の導体の外面の一部に取り付けられた第４の絶縁体を設け、
該第４の絶縁体の外面に第５の導体を取り付けた
ことを特徴とする請求項６に記載の音声入出力装置。
【請求項９】
上記第５の導体を板状に形成し、厚み方向における一方の面を第４の絶縁体に取り付けた
ことを特徴とする請求項８に記載の音声入出力装置。
【請求項１０】
上記第５の導体に第４の絶縁体の外面の反対方向へ突出された接続用突部を設けた
ことを特徴とする請求項８に記載の音声入出力装置。
【請求項１１】
上記第４の絶縁体と第５の導体以外の部分によって略丸軸状に形成し、
第４の絶縁体と第５の導体を略丸軸状の部分の外面に配置した
ことを特徴とする請求項８に記載の音声入出力装置。
【請求項１２】
音声入出力装置に設けられ一対の耳介がそれぞれ装着される一対の耳介装着部にそれぞれ内蔵された第１のマイクと第２のマイクに各別に入力される第１のノイズ信号と第２のノイズ信号をキャンセルするノイズキャンセルシステムであって、
音声入出力装置に、一対の耳介装着部に接続コードを介して接続され外部機器に連結される５極構成のプラグが設けられ、
外部機器に、プラグが連結されるジャックと、第１のノイズ信号及び第２のノイズ信号に基づいてそれぞれ第１のノイズキャンセル信号及び第２のノイズキャンセル信号を生成するノイズキャンセル信号生成手段と、少なくとも音声信号を記憶する記憶手段と、該記憶手段に記憶された音声信号を第１の音声信号及び第２の音声信号として再生する音声信号再生手段と、第１のノイズキャンセル信号と第１の音声信号を合成して第１の合成信号を生成すると共に第２のノイズキャンセル信号と第２の音声信号を合成して第２の合成信号を生成する合成手段とが設けられ、
上記５極構成のプラグに、第１のマイクに入力される第１のノイズ信号を外部機器に伝送する第１の導体と、第２のマイクに入力される第２のノイズ信号を外部機器に伝送する第２の導体と、第１の合成信号を第１のスピーカーに伝送する第３の導体と、グランド用の第４の導体と、第２の合成信号を第２のスピーカーに伝送する第５の導体とが設けられ、
第１のノイズキャンセル信号を含む第１の合成信号を第１のスピーカーから出力すると共に第２のノイズキャンセル信号を含む第２の合成信号を第２のスピーカーから出力してノイズをキャンセルするようにした
ことを特徴とするノイズキャンセルシステム。
【請求項１３】
上記外部機器にプラグのジャックに対する連結状態を検出するプラグ検出手段を設け、
５極構成のプラグがジャックに連結されたときに上記ノイズのキャンセル機能が実行されるようにした
ことを特徴とする請求項１２に記載のノイズキャンセルシステム。
【請求項１４】
５極構成のプラグがジャックに連結されていることがプラグ検出手段によって検出されたときに、ノイズのキャンセル機能が実行される旨が表示されるようにした
ことを特徴とする請求項１２に記載のノイズキャセルシステム。
【請求項１５】
第１のマイクと第２のマイクをそれぞれ第１のスピーカーと第２のスピーカーより外側に配置した
ことを特徴とする請求項１２に記載のノイズキャセルシステム。
【発明の詳細な説明】
【技術分野】
【０００１】
本発明はプラグ、音声入出力装置及びノイズキャンセルシステムについての技術分野に関する。詳しくは、５極構成のプラグを用いノイズキャンセル機能の実行化を確保する技術分野に関する。
【背景技術】
【０００２】
各種の電子機器、例えば、音響機器等のジャックに接続されるプラグは、例えば、イヤホーン、ヘッドホーン、各種の接続コード等の先端部に設けられている。
【０００３】
このようなプラグ、例えば、イヤホーンやヘッドホーン等に設けられたプラグは、一般に、スピーカーＬ（左）用、スピーカーＲ（右）用及びグランド用の３極構成とされている（例えば、特許文献１参照）。
【０００４】
上記したようなプラグが設けられたイヤホーンやヘッドホーン等の音声入出力装置には、一対の耳介にそれぞれ装着される一対の耳介装着部が設けられているが、耳介装着部を耳介に装着した状態において、音声が一対のスピーカーからそれぞれ出力されたときには、外部環境等により、外部から騒音等がノイズとして耳介に入力されるという不都合を生じることがある。
【０００５】
このようなノイズをキャンセルする手段として、従来は、音声入出力装置の耳介装着部にマイクとノイズキャンセル用回路が形成された回路基板を配置し、マイクに入力されたノイズ信号に基づいてノイズキャンセル用回路によってノイズキャンセル信号を生成し、耳介装着部に設けられたスピーカーからノイズキャンセル信号を出力してノイズをキャンセルするようにしたものがある。
【０００６】
【特許文献１】特開平９−２０４９６６号公報
【発明の開示】
【発明が解決しようとする課題】
【０００７】
ところが、従来のノイズをキャンセルする手段は、音声入出力装置の耳介装着部にマイクに加えノイズキャンセル用回路が形成された回路基板が配置されているため、その分、耳介装着部が大型になってしまい、耳介への装着感が悪いという問題がある。
【０００８】
逆に、耳介装着部の小型化を図ろうとした場合には、回路基板の配置スペースを確保することが困難となり、ノイズキャンセルを行うことができなくなると言う不都合を生じ得る。
【０００９】
そこで、本発明プラグ、音声入出力装置及びノイズキャンセルシステムは、上記した問題点を克服し、５極構成のプラグを用いノイズキャンセル機能の実行化を確保することを課題とする。
【課題を解決するための手段】
【００１０】
本発明プラグは、上記した課題を解決するために、第１のマイクに入力される第１のノイズ信号を外部機器に伝送する第１の導体と、第２のマイクに入力される第２のノイズ信号を外部機器に伝送する第２の導体と、第１のノイズ信号に基づいてノイズキャンセル信号生成手段によって生成された第１のノイズキャンセル信号と音声信号再生手段によって再生された第１の音声信号とが合成された第１の合成信号を第１のスピーカーに伝送する第３の導体と、グランド用の第４の導体と、第２のノイズ信号に基づいてノイズキャンセル信号生成手段によって生成された第２のノイズキャンセル信号と音声信号再生手段によって再生された第２の音声信号とが合成された第２の合成信号を第２のスピーカーに伝送する第５の導体とを設けたものである。
【００１１】
本発明音声入出力装置は、上記した課題を解決するために、一方の耳介装着部に第１のマイクと第１のスピーカーが内蔵され、他方の耳介装着部に第２のマイクと第２のスピーカーが内蔵され、上記プラグに、第１のマイクに入力される第１のノイズ信号を外部機器に伝送する第１の導体と、第２のマイクに入力される第２のノイズ信号を外部機器に伝送する第２の導体と、第１のノイズ信号に基づいてノイズキャンセル信号生成手段によって生成された第１のノイズキャンセル信号と音声信号再生手段によって再生された第１の音声信号とが合成された第１の合成信号を第１のスピーカーに伝送する第３の導体と、グランド用の第４の導体と、第２のノイズ信号に基づいてノイズキャンセル信号生成手段によって生成された第２のノイズキャンセル信号と音声信号再生手段によって再生された第２の音声信号とが合成された第２の合成信号を第２のスピーカーに伝送する第５の導体とを設けたものである。
【００１２】
本発明ノイズキャンセルシステムは、上記した課題を解決するために、音声入出力装置に、一対の耳介装着部に接続コードを介して接続され外部機器に連結される５極構成のプラグを設け、外部機器に、プラグが連結されるジャックと、第１のノイズ信号及び第２のノイズ信号に基づいてそれぞれ第１のノイズキャンセル信号及び第２のノイズキャンセル信号を生成するノイズキャンセル信号生成手段と、少なくとも音声信号を記憶する記憶手段と、該記憶手段に記憶された音声信号を第１の音声信号及び第２の音声信号として再生する音声信号再生手段と、第１のノイズキャンセル信号と第１の音声信号を合成して第１の合成信号を生成すると共に第２のノイズキャンセル信号と第２の音声信号を合成して第２の合成信号を生成する合成手段とを設け、上記５極構成のプラグに、第１のマイクに入力される第１のノイズ信号を外部機器に伝送する第１の導体と、第２のマイクに入力される第２のノイズ信号を外部機器に伝送する第２の導体と、第１の合成信号を第１のスピーカーに伝送する第３の導体と、グランド用の第４の導体と、第２の合成信号を第２のスピーカーに伝送する第５の導体とを設け、第１のノイズキャンセル信号を含む第１の合成信号を第１のスピーカーから出力すると共に第２のノイズキャンセル信号を含む第２の合成信号を第２のスピーカーから出力してノイズをキャンセルするようにしたものである。
【００１３】
従って、本発明プラグ、音声入出力装置及びノイズキャンセルシステムにあっては、第１のノイズキャンセル信号と第２のノイズキャンセル信号がそれぞれ外部機器に設けられたノイズキャンセル信号生成手段から第１のスピーカーと第２のスピーカーに伝送される。
【発明の効果】
【００１４】
本発明プラグは、ノイズキャンセル信号生成手段及び音声信号再生手段を有する外部機器に設けられたジャックに連結されると共に音声入出力装置に設けられた第１のマイク、第２のマイク、第１のスピーカー及び第２のスピーカーに接続されるプラグであって、第１のマイクに入力される第１のノイズ信号を外部機器に伝送する第１の導体と、第２のマイクに入力される第２のノイズ信号を外部機器に伝送する第２の導体と、第１のノイズ信号に基づいてノイズキャンセル信号生成手段によって生成された第１のノイズキャンセル信号と音声信号再生手段によって再生された第１の音声信号とが合成された第１の合成信号を第１のスピーカーに伝送する第３の導体と、グランド用の第４の導体と、第２のノイズ信号に基づいてノイズキャンセル信号生成手段によって生成された第２のノイズキャンセル信号と音声信号再生手段によって再生された第２の音声信号とが合成された第２の合成信号を第２のスピーカーに伝送する第５の導体とを備えたことを特徴とする。
【００１５】
従って、プラグが５極構成とされ、外部機器に設けられたノイズキャンセル信号生成手段によって生成されたノイズキャンセル信号によってノイズキャンセルが行われるため、音声入出力装置の小型化を確保した上でノイズキャンセル機能の実行化を確保することができる。
【００１６】
請求項２に記載した発明にあっては、上記第１の導体、第２の導体及び第３の導体にそれぞれ電極部と嵌合部を設け、第１の導体を軸状に形成し、該第１の導体の嵌合部に外嵌された第１の絶縁体を設け、該第１の絶縁体に第２の導体を外嵌し、該第２の導体の嵌合部に外嵌された第２の絶縁体を設け、該第２の絶縁体に第３の導体を外嵌し、該第３の導体の嵌合部に外嵌された第３の絶縁体を設け、該第３の絶縁体に第４の導体を外嵌し、該第４の導体の外面の一部に取り付けられた第４の絶縁体を設け、該第４の絶縁体の外面に第５の導体を取り付けたので、４極構成の部分の外面に第５の導体である１極の部分を取り付けることにより５極構成を形成しているため、５極構成のプラグを容易に形成することができる。
【００１７】
請求項３に記載した発明にあっては、上記第５の導体を板状に形成し、厚み方向における一方の面を第４の絶縁体に取り付けたので、プラグの全体の外径を小さくすることが可能となり、プラグの小型化を図ることができる。
【００１８】
請求項４に記載した発明にあっては、上記第５の導体に第４の絶縁体の外面の反対方向へ突出された接続用突部を設けたので、ジャックの接続端子と第５の導体との良好な接続性を確保することができる。
【００１９】
請求項５に記載した発明にあっては、上記第４の絶縁体と第５の導体以外の部分によって略丸軸状に形成し、第４の絶縁体と第５の導体を略丸軸状の部分の外面に配置したので、第４の絶縁体と第５の導体が略丸軸状の部分から側方へ突出された形状とされ、例えば、プラグ挿入孔が円形状に形成されている３極構成のプラグ専用のジャックに対する誤挿入を防止することができる。
【００２０】
本発明音声入出力装置は、一対の耳介にそれぞれ装着される一対の耳介装着部と該一対の耳介装着部に接続コードを介して接続されたプラグとを備え該プラグがノイズキャンセル信号生成手段及び音声信号再生手段を有する外部機器に設けられたジャックに連結される音声入出力装置であって、一方の耳介装着部に第１のマイクと第１のスピーカーが内蔵され、他方の耳介装着部に第２のマイクと第２のスピーカーが内蔵され、上記プラグに、第１のマイクに入力される第１のノイズ信号を外部機器に伝送する第１の導体と、第２のマイクに入力される第２のノイズ信号を外部機器に伝送する第２の導体と、第１のノイズ信号に基づいてノイズキャンセル信号生成手段によって生成された第１のノイズキャンセル信号と音声信号再生手段によって再生された第１の音声信号とが合成された第１の合成信号を第１のスピーカーに伝送する第３の導体と、グランド用の第４の導体と、第２のノイズ信号に基づいてノイズキャンセル信号生成手段によって生成された第２のノイズキャンセル信号と音声信号再生手段によって再生された第２の音声信号とが合成された第２の合成信号を第２のスピーカーに伝送する第５の導体とを設けたことを特徴とする。
【００２１】
従って、プラグが５極構成とされ、外部機器に設けられたノイズキャンセル信号生成手段によって生成されたノイズキャンセル信号によってノイズキャンセルが行われるため、音声入出力装置の小型化を確保した上でノイズキャンセル機能の実行化を確保することができる。
【００２２】
請求項７に記載した発明にあっては、一対の耳介装着部がそれぞれ一対の耳介に装着された状態において、第１のマイクと第２のマイクをそれぞれ第１のスピーカーと第２のスピーカーより鼓膜に対して外側に配置したので、ノイズキャンセルの実行をフィードフォワード型の制御により行うことが可能である。
【００２３】
請求項８に記載した発明にあっては、第１の導体、第２の導体及び第３の導体にそれぞれ電極部と嵌合部を設け、第１の導体を軸状に形成し、該第１の導体の嵌合部に外嵌された第１の絶縁体を設け、該第１の絶縁体に第２の導体を外嵌し、該第２の導体の嵌合部に外嵌された第２の絶縁体を設け、該第２の絶縁体に第３の導体を外嵌し、該第３の導体の嵌合部に外嵌された第３の絶縁体を設け、該第３の絶縁体に第４の導体を外嵌し、該第４の導体の外面の一部に取り付けられた第４の絶縁体を設け、該第４の絶縁体の外面に第５の導体を取り付けたので、４極構成の部分の外面に第５の導体である１極の部分を取り付けることにより５極構成を形成しているため、５極構成のプラグを容易に形成することができる。
【００２４】
請求項９に記載した発明にあっては、上記第５の導体を板状に形成し、厚み方向における一方の面を第４の絶縁体に取り付けたので、プラグの全体の外径を小さくすることが可能となり、プラグの小型化を図ることができる。
【００２５】
請求項１０に記載した発明にあっては、上記第５の導体に第４の絶縁体の外面の反対方向へ突出された接続用突部を設けたので、ジャックの接続端子と第５の導体との良好な接続性を確保することができる。
【００２６】
請求項１１に記載した発明にあっては、上記第４の絶縁体と第５の導体以外の部分によって略丸軸状に形成し、第４の絶縁体と第５の導体を略丸軸状の部分の外面に配置したので、第４の絶縁体と第５の導体が略丸軸状の部分から側方へ突出された形状とされ、例えば、プラグ挿入孔が円形状に形成されている３極構成のプラグ専用のジャックに対する誤挿入を防止することができる。
【００２７】
本発明ノイズキャンセルシステムは、音声入出力装置に設けられ一対の耳介がそれぞれ装着される一対の耳介装着部にそれぞれ内蔵された第１のマイクと第２のマイクに各別に入力される第１のノイズ信号と第２のノイズ信号をキャンセルするノイズキャンセルシステムであって、音声入出力装置に、一対の耳介装着部に接続コードを介して接続され外部機器に連結される５極構成のプラグが設けられ、外部機器に、プラグが連結されるジャックと、第１のノイズ信号及び第２のノイズ信号に基づいてそれぞれ第１のノイズキャンセル信号及び第２のノイズキャンセル信号を生成するノイズキャンセル信号生成手段と、少なくとも音声信号を記憶する記憶手段と、該記憶手段に記憶された音声信号を第１の音声信号及び第２の音声信号として再生する音声信号再生手段と、第１のノイズキャンセル信号と第１の音声信号を合成して第１の合成信号を生成すると共に第２のノイズキャンセル信号と第２の音声信号を合成して第２の合成信号を生成する合成手段とが設けられ、上記５極構成のプラグに、第１のマイクに入力される第１のノイズ信号を外部機器に伝送する第１の導体と、第２のマイクに入力される第２のノイズ信号を外部機器に伝送する第２の導体と、第１の合成信号を第１のスピーカーに伝送する第３の導体と、グランド用の第４の導体と、第２の合成信号を第２のスピーカーに伝送する第５の導体とが設けられ、第１のノイズキャンセル信号を含む第１の合成信号を第１のスピーカーから出力すると共に第２のノイズキャンセル信号を含む第２の合成信号を第２のスピーカーから出力してノイズをキャンセルするようにしたことを特徴とする。
【００２８】
従って、プラグが５極構成とされ、外部機器に設けられたノイズキャンセル信号生成手段によって生成されたノイズキャンセル信号によってノイズキャンセルが行われるため、音声入出力装置の小型化を確保した上でノイズキャンセル機能の実行化を確保することができる。
【００２９】
請求項１３に記載した発明にあっては、上記外部機器にプラグのジャックに対する連結状態を検出するプラグ検出手段を設け、５極構成のプラグがジャックに連結されたときに上記ノイズのキャンセル機能が実行されるようにしたので、３極構成のプラグがジャックに連結されたときにはノイズキャンセル機能が実行されず、不必要な機能の実行の防止による制御の簡便化を図ることができる。
【００３０】
請求項１４に記載した発明にあっては、５極構成のプラグがジャックに連結されていることがプラグ検出手段によって検出されたときに、ノイズのキャンセル機能が実行される旨が表示されるようにしたので、使用者においてノイズのキャンセル機能が実行されることを確認することができ、使い勝手の向上を図ることができる。
【００３１】
請求項１５に記載した発明にあっては、第１のマイクと第２のマイクをそれぞれ第１のスピーカーと第２のスピーカーより外側に配置したので、ノイズキャンセルの実行をフィードフォワード型の制御により行うことが可能である。
【発明を実施するための最良の形態】
【００３２】
以下に、本発明を実施するための最良の形態を添付図面に従って説明する。
【００３３】
音声入出力装置１は、例えば、イヤホーンやヘッドホーンであり（図１参照）、使用者の左右の耳介１００、２００にそれぞれ装着される耳介装着部２、３と該耳介装着部２、３に接続コード４を介して接続されたプラグ５とを有している。
【００３４】
耳介装着部２は、例えば、使用者の左側の耳介１００に装着される。耳介装着部２には、第１のマイク６と第１のスピーカー７が内蔵されている。第１のマイク６は第２のスピーカー９に対して、例えば、使用者の鼓膜から離隔された側である外側に配置されている。
【００３５】
耳介装着部３は、例えば、使用者の右側の耳介２００に装着される。耳介装着部３には、第２のマイク８と第２のスピーカー９が内蔵されている。第２のマイク８は第２のスピーカー９に対して、例えば、使用者の鼓膜から離隔された側である外側に配置されている。
【００３６】
接続コード４は後述する５本の接続線が絶縁材料によって被覆されて成る。
【００３７】
プラグ５は一部が、例えば、樹脂材料等の導電性を有しない材料によって形成されたカバー１０によって覆われている。
【００３８】
プラグ５は、図２乃至図４に示すように、第１の導体１１、第１の絶縁体１２、第２の導体１３、第２の絶縁体１４、第３の導体１５、第３の絶縁体１６、第４の導体１７、第４の絶縁体１８及び第５の導体１９によって構成されている。第１の導体１１、第２の導体１３、第３の導体１５、第４の導体１７及び第５の導体１９は、何れも導電性の高い金属材料によって形成され、第１の絶縁体１２、第２の絶縁体１４、第３の絶縁体１６及び第４の絶縁体１８は何れも樹脂材料等の導電性を有しない材料によって形成されている。
【００３９】
第１の導体１１、第２の導体１３、第３の導体１５、第４の導体１７及び第５の導体１９は、例えば、それぞれ第１のスピーカー７用の端子、第２のスピーカー９用の端子、第１のマイク６用の端子、グランド用の端子及び第２のマイク８用の端子として用いられている。
【００４０】
尚、上記には、第１の導体１１、第２の導体１３、第３の導体１５、第４の導体１７及び第５の導体１９をそれぞれ第１のスピーカー７用の端子、第２のスピーカー９用の端子、第１のマイク６用の端子、グランド用の端子及び第２のマイク８用の端子として用いる例を示したが、第１の導体１１、第２の導体１３、第３の導体１５、第４の導体１７及び第５の導体１９をそれぞれ何れの端子として用いるかは任意である。
【００４１】
第１の導体１１は略丸軸状に形成され、大径の電極部１１ａと小径の嵌合部１１ｂとを有している。第１の導体１１には、電極部１１ａと嵌合部１１ｂの間に外方へ張り出されたフランジ部１１ｃが設けられ、嵌合部１１ｂのフランジ部１１ｃと反対側の端部にコード接続部１１ｄが設けられている。
【００４２】
電極部１１ａの外周面は嵌合部１１ｂに近付くに従って中心側へ変位するように傾斜された傾斜面１１ｅとして形成されている。嵌合部１１ｂは軸方向における長さが電極部１１ａより長くされている。コード接続部１１ｄは、その径が電極部１１ａの径より小さく嵌合部１１ｂの径より大きくされている。
【００４３】
第１の絶縁体１２は略円筒状に形成され、軸方向における一端部が他の部分より外径の大きな大径部１２ａとして設けられ、該大径部１２ａ以外の部分が小径部１２ｂとして設けられている。大径部１２ａは小径部１２ｂより肉厚に形成されている。小径部１２ｂの大径部１２ａと反対側の端部は外方へ僅かに張り出された張出部１２ｃとされ、大径部１２ａと張出部１２ｃの間における外面側に浅い嵌合凹部１２ｄが形成されている。
【００４４】
第１の絶縁体１２は第１の導体１１の嵌合部１１ｂに外嵌されている。第１の絶縁体１２は第１の導体１１に外嵌された状態において、大径部１２ａの外周面がフランジ部１１ｃの外周面と放射方向において一致されている。第１の導体１１は電極部１１ａ、フランジ部１１ｃ及びコード接続部１１ｄが露出されている。
【００４５】
第２の導体１３は略円筒状に形成され、大径の電極部１３ａと小径の嵌合部１３ｂとを有している。第１の導体１３には、電極部１３ａと嵌合部１３ｂとを連結する略円環状に形成された連結部１３ｃが設けられ、嵌合部１３ｂの連結部１３ｃと反対側の端部はコード接続部１３ｄとして設けられている。
【００４６】
第２の導体１３は第１の絶縁体１２に外嵌されている。第２の導体１３は第１の絶縁体１２に外嵌された状態において、電極部１３ａが大径部１２ａの一端部を除く部分に結合され、嵌合部１３ｂ及び連結部１３ｃが嵌合凹部１２ｄに結合され、嵌合部１３ｂの外周面が張出部１２ｃの外周面と放射方向において一致されている。従って、第２の絶縁体１２は大径部１２ａの一部と張出部１２ｃとが露出されている。
【００４７】
第２の絶縁体１４は略円筒状に形成され、軸方向における一端部が他の部分より外径の大きな大径部１４ａとして設けられ、該大径部１４ａ以外の部分が小径部１４ｂとして設けられている。大径部１４ａは小径部１４ｂより肉厚に形成されている。小径部１４ｂの大径部１４ａと反対側の端部は外方へ僅かに張り出された張出部１４ｃとされ、大径部１４ａと張出部１４ｃの間における外面側に浅い嵌合凹部１４ｄが形成されている。
【００４８】
第２の絶縁体１４は第２の導体１３の嵌合部１３ｂに外嵌されている。第２の絶縁体１４は第２の導体１３に外嵌された状態において、大径部１４ａの外周面が電極部１３ａの外周面と放射方向において一致されている。第２の導体１３は電極部１３ａとコード接続部１３ｄが露出されている。
【００４９】
第３の導体１５は略円筒状に形成され、大径の電極部１５ａと小径の嵌合部１５ｂとを有している。第１の導体１５には、電極部１５ａと嵌合部１５ｂとを連結する略円環状に形成された連結部１５ｃが設けられ、嵌合部１５ｂの連結部１５ｃと反対側の端部はコード接続部１５ｄとして設けられている。
【００５０】
第３の導体１５は第２の絶縁体１４に外嵌されている。第３の導体１５は第２の絶縁体１４に外嵌された状態において、嵌合凹部１４ｄに結合され、電極部１５ａの外周面が大径部１４ａの外周面と放射方向において一致され、嵌合部１５ｂの外周面が張出部１４ｃの外周面と放射方向において一致されている。従って、第２の絶縁体１４は大径部１４ａと張出部１４ｃとが露出されている。
【００５１】
第３の絶縁体１６は略円筒状に形成され、軸方向における一端部が外径の大きな大径部１６ａとして設けられ、軸方向において大径部１６ａに連続する部分が小径部１６ｂとして設けられ、軸方向における他端部が小径部１６ｂより外径の大きな張出部１６ｃとして設けられている。大径部１６ａと張出部１６ｃは小径部１６ｂより肉厚に形成されている。第３の絶縁体１６には大径部１６ａと張出部１６ｃの間における外面側に浅い嵌合凹部１６ｄが形成されている。
【００５２】
第３の絶縁体１６は第３の導体１５の嵌合部１５ｂに外嵌されている。第３の絶縁体１６は第３の導体１５に外嵌された状態において、大径部１６ａと張出部１６ｃの外周面が電極部１５ａの外周面と放射方向において一致されている。第３の導体１５は電極部１５ａとコード接続部１５ｄが露出されている。
【００５３】
第４の導体１７は略円筒状に形成され、電極部１７ａと該電極部１７ａの軸方向における中央部の外周面に外方へ突出して設けられた円環状の突部１７ｂとから成る。電極部１７ａの一部はコード接続部１７ｃとして設けられている。
【００５４】
第４の導体１７は第３の絶縁体１６の嵌合凹部１６ｄに外嵌されている。第４の導体１７は第３の絶縁体１６に外嵌された状態において、電極部１７ａの外周面が大径部１６ａの外周面と張出部１６ｃの外周面とに放射方向において一致されている。従って、第３の絶縁体１６は大径部１６ａと張出部１６ｃとが露出されている。
【００５５】
第４の絶縁体１８は導体取付部２０と延設部２１とが一体に形成されて成る（図４及び図６参照）。
【００５６】
導体取付部２０は一方向に長く形成され、図７に示すように、本体部２０ａと該本体部２０ａの長手方向における一端部から短手方向へ互いに反対側へ突出された突出部２０ｂ、２０ｂとから成る。本体部２０ａには、長手方向に延びる導体取付溝２０ｃが形成され、該導体取付溝２０ｃが形成された面と反対側の面に短手方向へ延びる嵌合溝２０ｄが形成されている。延設部２１は導体取付部２０の長手方向における一端面から突出部２０ｂ、２０ｂの突出方向と直交する方向へ突出されている。
【００５７】
第４の絶縁体１８は、導体取付部２０が第３の絶縁体１４の大径部１４ａから張出部１４ｃまでに亘る部分の外周面の一部に取り付けられ、延設部２１が第３の導体１５のコード接続部１５ｄから第１の絶縁体１２の張出部１２ｃまでに亘る部分の外周面の一部に取り付けられている。このように第４の絶縁体１８が取り付けられた状態においては、嵌合溝２０ｄに第４の導体１７の突部１７ｂが嵌合され、導体取付部２０が延設部２１より外周側に位置されている。
【００５８】
第５の導体１９は一方向に長い板状に形成され、長手方向における中間部に互いに反対方向へ突出された規制突片１９ａ、１９ａを有している。第５の導体１９は、規制突片１９ａ、１９ａを基準として一方の側が挿入部１９ｂとされ、他方の側がコード接続部１９ｃとされている。挿入部１９ｂにおけるコード接続部１９ｃと反対側の端部には厚み方向へ突出された接続用突部１９ｄが設けられている。
【００５９】
第５の導体１９は挿入部１９ｂが導体取付溝２０ｃに挿入されて第４の絶縁体１８に取り付けられる（図３参照）。第５の導体１９は第４の絶縁体１８に取り付けられた状態において、規制突片１９ａ、１９ａが本体部２０ａの一端面に接し、コード接続部１９ｃが延設部２１より外周側に離隔して位置されている（図４参照）。
【００６０】
以上のようにして構成されたプラグ５は、図５及び図６に示すように、第１の導体１１のコード接続部１１ｄ、第２の導体１３のコード接続部１３ｄ、第３の導体１５のコード接続部１５ｄ、第４の導体１７のコード接続部１７ｃ及び第５の導体１９のコード接続部１９ｃに、それぞれ接続コード４の５本の接続線４ａ、４ｂ、４ｃ、４ｄ、４ｅの各一端部が、例えば、半田付けにより接続される。接続線４ａ、４ｂ、４ｃ、４ｄ、４ｅの他端部は、それぞれ音声入出力装置１の耳介装着部２、３に配置された第１のスピーカー７、第２のスピーカー９、第１のマイク６、図示しないグランド用端子、第２のマイク８に接続されている。
【００６１】
プラグ５の各部に接続線４ａ、４ｂ、４ｃ、４ｄ、４ｅが接続された状態において、第４の導体１７の突部１７ｂから第１の導体１１のコード接続部１１ｄまでに亘る部分がカバー１０によって覆われ、コード接続部１１ｄ、１３ｄ、１５ｄ、１７ｃ、１９ｃが閉塞される（図２参照）。
【００６２】
プラグ５は外部機器２２、例えば、音楽再生機器等に設けられたジャック２３に連結される（図１参照）。
【００６３】
ジャック２３は筐体２４に所要の各部が設けられて成る（図８参照）。筐体２４には一方に開口されたプラグ挿入孔２４ａが形成されている。ジャック２３におけるプラグ挿入孔２４ａの開口と反対側の端部からは、５つの端子片２５、２５、・・・が突出されている。端子片２５、２５、・・・は外部機器２２に設けられた後述する制御回路に接続されている。
【００６４】
ジャック２３の内部には第１の接続端子２６、第２の接続端子２７、第３の接続端子２８、第４の接続端子２９及び第５の接続端子３０が配置されている（図９及び図１０参照）。
【００６５】
第１の接続端子２６は、図９に示すように、ジャック２３の内面に沿って配置されたベース部２６ａと、該ベース部２６ａから折り返されプラグ挿入孔２４ａから遠去かる方向へ延びる基端部２６ｂと、該基端部２６ｂに連続し基端部２６ｂに対してベース部２６ａから離隔する方向へ屈曲された板バネ部２６ｃとを有し、該板バネ部２６ｃの先端部が接続部２６ｄとして設けられている。
【００６６】
第２の接続端子２７は、図１０に示すように、ジャック２３の内面と平行な状態で配置された基端部２７ａと、該基端部２７ａに連続し基端部２７ａに対してジャック２３の内面から離隔する方向へ屈曲された板バネ部２７ｂとを有し、該板バネ部２７ｂの先端部が接続部２７ｃとして設けられている。接続部２７ｃは第１の接続端子２６の接続部２６ｄよりプラグ挿入孔２４ａ側に位置されている。
【００６７】
第３の接続端子２８は、図９に示すように、ジャック２３の内面に沿って配置された基端部２８ａと、該基端部２８ａに連続し基端部２８ａに対してジャック２３の内面から離隔する方向へ屈曲された板バネ部２８ｂとを有し、該板バネ部２８ｂの先端部が接続部２８ｃとして設けられている。接続部２８ｃは第２の接続端子２７の接続部２７ｃよりプラグ挿入孔２４ａ側に位置されている。
【００６８】
第４の接続端子２９は、図９及び図１０に示すように、ジャック２３の内面に沿って配置された基端部２９ａと、該基端部２９ａに連続し基端部２９ａに対してジャック２３の内面から離隔する方向へ屈曲された板バネ部２９ｂとを有し、該板バネ部２９ｂの先端部が接続部２９ｃとして設けられている。接続部２９ｃは第３の接続端子２８の接続部２８ｃよりプラグ挿入孔２４ａ側に位置され、該プラグ挿入孔２４ａの開口の直ぐ内側に位置されている。
【００６９】
第５の接続端子３０は、図１０に示すように、ジャック２３の内面に沿って配置された基端部３０ａと、該基端部３０ａに連続し基端部３０ａに対してジャック２３の内面から離隔する方向へ屈曲された板バネ部３０ｂとを有し、該板バネ部３０ｂの先端部が接続部３０ｃとして設けられている。接続部３０ｃはプラグ挿入孔２４ａの開口の直ぐ内側に位置されている。
【００７０】
ジャック２３の内部にはストッパー壁３１が設けられている（図１０参照）。ストッパー壁３１は第５の接続端子３０の板バネ部３０ｂを挟んでジャック２３の内面と反対側に位置されている。
【００７１】
ジャック２３の内部には保持用絶縁部材３２が設けられている（図９及び図１０参照）。保持用絶縁部材３２はプラグ挿入孔２４ａの開口と反対側の端部に設けられている。
【００７２】
第１の接続端子２６、第２の接続端子２７、第３の接続端子２８、第４の接続端子２９及び第５の接続端子３０は、それぞれ一部が保持用絶縁部材３２に埋設されて保持され、端子片２５、２５、・・・に各別に連続されている。従って、第１の接続端子２６、第２の接続端子２７、第３の接続端子２８、第４の接続端子２９及び第５の接続端子３０は、それぞれ端子片２５、２５、・・・を介して外部機器２２に設けられた制御回路に接続されている。
【００７３】
プラグ５がプラグ挿入孔２４ａに挿入されると、図１１及び図１２に示すように、第１の導体１１の電極部１１ａ、第２の導体１３の電極部１３ａ、第３の導体１５の電極部１５ａ、第４の導体１７の電極部１７ａ及び第５の導体１９の接続用突部１９ａが、それぞれ第１のスピーカー７用の第１の接続端子２６の接続部２６ｄ、第２のスピーカー９用の第２の接続端子２７の接続部２７ｃ、第１のマイク６用の第３の接続端子２８の接続部２８ｃ、グランド用の第４の接続端子２９の接続部２９ｃ及び第２のマイク８用の第５の接続端子３０の接続部３０ｃに接続される。
【００７４】
このときプラグ５は第４の導体１７の突部１７ｂがジャック２３におけるプラグ挿入孔２４ａの外側開口縁に接触すると共に第５の導体１９の挿入部１９ｂの一端面がストッパー壁３１に接触する位置まで挿入され、ジャック２３に対する挿入方向における位置決めが行われる。
【００７５】
接続部２６ｄ、２７ｃ、２８ｃ、２９ｃ、３０ｃはそれぞれ基端部２６ｂ、２７ａ、２８ａ、２９ａ、３０ａに対してバネ力に抗して弾性変形され、電極部１１ａ、電極部１３ａ、電極部１５ａ、電極部１７ａ、接続用突部１９ａに押し付けられた状態で接続される。
【００７６】
外部機器２２には操作手段３３、プラグ検出手段３４、記憶手段３５及び電源手段３６が設けられている（図１３参照）。
【００７７】
操作手段３３は音量の変更、音質の変更、再生する音声の選択（選曲）等の各種の機能を実行するための操作釦や操作スイッチ等である。
【００７８】
プラグ検出手段３４はジャック２３に挿入されて連結されるプラグの種類を検出する機能を有している。プラグの種類としては、上記した５極構成のプラグ５の他、後述する３極構成のプラグがあり、プラグ検出手段３４によって何れのプラグがジャック２３に連結されたか否かが検出される。
【００７９】
記憶手段３５は、例えば、フラッシュメモリーであり、音声信号の他、外部機器２２に必要とされるプログラム等を記憶する。
【００８０】
電源手段３６は、例えば、バッテリーであり、必要な各部に電源を供給する。
【００８１】
外部機器２２には制御回路３７が設けられ、該制御回路３７は電源供給手段３６から供給される電源によって動作される。制御回路３７は制御手段３８、音声信号再生手段３９、ノイズキャンセル信号生成手段４０及び合成手段４１を有している。
【００８２】
制御手段３８は外部機器２２の全体の制御を行う部分であり、例えば、プラグ検出手段３４の検出結果に基づいてノイズキャンセル信号生成手段４０にノイズキャンセルを行う旨の指令信号を送出し、また、操作手段３３から受信した操作信号に基づいて音声信号再生手段３９等の各部に指令信号を送出する。
【００８３】
音声信号再生手段３９は制御手段３８から受信した指令信号に基づいて、記憶手段３５に記憶されている音声信号を読み出して合成手段４１に送出する。音声信号は合成手段４１を介して第１のスピーカー７に第１の音声信号として送出され第２のスピーカー９に第２の音声信号として送出される。
【００８４】
ノイズキャンセル信号生成手段４０は制御手段３８から受信した指令信号に基づいて、音声入出力装置１の第１のマイク６及び第２のマイク８からプラグ５及びジャック２３を介してそれぞれ入力される第１のノイズ信号と第２のノイズ信号に対する第１のノイズキャンセル信号と第２のノイズキャンセル信号を生成し、これらのノイズキャンセル信号を合成手段４１に送出する。
【００８５】
合成手段４１は制御手段３８から受信した指令信号に基づいて、音声信号再生手段３９から入力された第１の音声信号、第２の音声信号とノイズキャンセル信号生成手段４０から入力された第１のノイズキャンセル信号、第２のノイズキャンセル信号とをそれぞれ合成して第１の合成信号、第２の合成信号を生成し、第１の合成信号をジャック２３及びプラグ５を介して音声入出力装置１の第１のスピーカー７に送出し、第２の合成信号をジャック２３及びプラグ５を介して音声入出力装置１の第２のスピーカー９に送出する。
【００８６】
外部機器２２には表示部２２ａが設けられている（図１参照）。表示部２２ａには操作手段３３に対する操作に応じて行われる各種の機能の表示や現在の機能の実行状態の他、ジャック２３に連結されているプラグの種類等が表示される。また、表示部２２ａには、プラグ５がジャック２３に連結された状態において、後述するノイズのキャンセル機能が実行される旨が表示される。
【００８７】
外部機器２２において、第１のマイク６及び第２のマイク８に外部の騒音等によるノイズが入力されると、このノイズに基づいたノイズ信号が第１のマイク６及び第２のマイク８から接続コード４、プラグ５及びジャック２３を介してノイズキャンセル信号生成手段４０に入力される。
【００８８】
ノイズキャンセル信号生成手段４０にノイズ信号が入力されると、プラグ検出手段３４から制御手段３８に送出された検出結果（検出信号）に基づいて制御手段３８が動作される。
【００８９】
このときプラグ検出手段３４によって５極構成のプラグ５がジャック２３に連結されている旨の検出信号が送出されたときには、制御手段３８からノイズキャンセル信号生成手段４０にノイズキャンセル信号を生成する旨の指令信号が送出される。
【００９０】
一方、プラグ検出手段３４によって３極構成のプラグがジャック２３に連結されている旨の検出信号が送出されたときには、制御手段３８からノイズキャンセル信号生成手段４０にノイズキャンセル信号を生成する旨の指令信号は送出されない。従って、３極構成のプラグがジャック２３に連結されている場合には、ノイズキャンセル信号は生成されない。
【００９１】
３極構成のプラグ５０は、図１４乃至図１６に示すように、第１の導体５１、該第１の導体５１に外嵌された第１の絶縁体５２、該第１の絶縁体５２に外嵌された第２の導体５３、該第２の導体５３に外嵌された第２の絶縁体５４及び該第２の絶縁体５４に外嵌された第３の導体５５によって構成され、ジャック２３に連結された状態において、第１の導体５１が第１のスピーカー７用の第１の接続端子２６に接続され、第２の導体５３が第２のスピーカー９用の第２の接続端子２７に接続され、第３の導体５５がグランド用の第４の接続端子２９に接続される。プラグ５０は第２のマイク８用の第５の接続端子３０とは接続されない。
【００９２】
プラグ５０は第３の導体５５が第１のマイク６用の第３の接続端子２８とも接続されるが、外部機器２２にあっては、第３の導体５５と第３の接続端子２８との間での信号の授受が行われないように制御回路３７が構成されている。尚、例えば、ジャック２３の第３の接続端子２８の配置位置を変更すること等により、プラグ５０がジャック２３に連結された状態において、第３の導体５５が第３の接続端子２８に接続されないように構成するようにしてもよい。
【００９３】
上記したように、制御手段３８からノイズキャンセル信号生成手段４０にノイズキャンセル信号を生成する旨の指令信号が送出されると、図１７に示すように、ノイズ信号ｎに対して逆位相となるノイズキャンセル信号ｎ′がノイズキャンセル信号生成手段４０によって生成される。
【００９４】
ノイズキャンセル信号がノイズキャンセル信号生成手段４０によって生成されると、生成されたノイズキャンセル信号が合成手段４１に送出される。同時に、音声信号再生手段３９から音声信号が合成手段４１に送出され、該合成手段４１によってノイズキャンセル信号と音声信号が合成された合成信号が生成される。
【００９５】
生成された合成信号（第１の合成信号及び第２の合成信号）は、合成手段４１からジャック２３、プラグ５及び接続コード４を介して音声入出力装置１の第１のスピーカー７及び第２のスピーカー９に送出される。
【００９６】
第１のスピーカー７及び第２のスピーカー９に合成信号が送出されると、使用者においては、外部から入力されたノイズがノイズキャンセル信号によって打ち消された状態で耳介１００、２００に音声信号が入力される。
【００９７】
以上に記載した通り、音声入出力装置１にあっては、プラグ５が５極構成とされ、外部機器２２の制御回路３７によってノイズキャンセルが行われるため、音声入出力装置１の小型化を確保した上でノイズキャンセル機能の実行化を確保することができる。
【００９８】
また、プラグ５にあっては、略丸軸状にされた４極構成の部分の外周面に１極の部分を取り付けることにより５極構成を形成しているため、５極構成のプラグ５を容易に形成することができる。
【００９９】
さらに、プラグ５にあっては、第５の導体１９を板状に形成し、厚み方向における一方の面を第４の絶縁体１８に取り付けるようにしているため、全体の外径を小さくすることが可能となり、小型化を図ることができる。
【０１００】
さらにまた、第５の導体１９に電極部として機能する接続用突部１９ｄを設けているため、ジャック２３の第５の接続端子３０との良好な接続性を確保することができる。
【０１０１】
また、プラグ５にあっては、略丸軸状に形成された４極構成の部分に第４の絶縁体１８と第５の導体１９を取り付けているため、第４の絶縁体１８と第５の導体１９が略丸軸状の部分から側方へ突出された形状とされ、例えば、プラグ挿入孔が円形状に形成されている３極構成のプラグ専用のジャックに対する誤挿入を防止することができる。
【０１０２】
音声入出力装置１にあっては、第１のマイク６と第２のマイク８をそれぞれ第１のスピーカー７と第２のスピーカー９より外側に配置しているため、第１のマイク６と第２のマイク８がそれぞれ第１のスピーカー７と第２のスピーカー９より使用者の鼓膜に対して離隔して位置され、ノイズキャンセルの実行をフィードフォワード型の制御により行うことが可能である。
【０１０３】
外部機器２２にあっては、プラグのジャック２３に対する連結状態を検出するプラグ検出手段３４を設け、５極構成のプラグ５がジャック２３に連結されたときにノイズのキャンセル機能が実行されるようにしているため、３極構成のプラグ５０がジャック２３に連結されたときにはノイズキャンセル機能が実行されず、不必要な機能の実行の防止による制御の簡便化を図ることができる。
【０１０４】
また、外部機器２２にあっては、プラグ５がジャック２３に連結されていることがプラグ検出手段３４によって検出されたときに、外部機器２２の表示部２２ａにノイズのキャンセル機能が実行される旨が表示されるため、使用者においてノイズのキャンセル機能が実行されることを確認することができ、使い勝手の向上を図ることができる。
【０１０５】
尚、表示部は音声入出力装置１に設けられていてもよく、この場合には、プラグ５がジャック２３に連結されていることがプラグ検出手段３４によって検出されたときに、音声入出力装置１の表示部にノイズのキャンセル機能が実行される旨が表示されるようにすることも可能である。
【０１０６】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【０１０７】
【図１】図２乃至図１７と共に本発明の最良の形態を示すものであり、本図は、音声入出力装置と外部機器の構成を示す概念図である。
【図２】プラグの拡大斜視図である。
【図３】プラグの拡大側面図である。
【図４】図３とは異なる方向から見た状態で示すプラグの拡大側面図である。
【図５】プラグの拡大断面図である。
【図６】図５とは異なる方向から見た状態で示すプラグの拡大断面図である。
【図７】第４の絶縁体と第５の導体を示す拡大斜視図である。
【図８】ジャックの拡大斜視図である。
【図９】図８のＩＸ―ＩＸ線に沿う断面図である。
【図１０】図８のＸ―Ｘ線に沿う断面図である。
【図１１】プラグがジャックに連結された状態を示す拡大断面図である。
【図１２】図１１とは異なる方向から見た状態でプラグがジャックに連結された状態を示す拡大断面図である。
【図１３】音声入出力装置と外部機器の構成を示すブロック図である。
【図１４】３極構成のプラグを示す拡大側面図である。
【図１５】３極構成のプラグがジャックに連結された状態を示す拡大断面図である。
【図１６】図１５とは異なる方向から見た状態で３極構成のプラグがジャックに連結された状態を示す拡大断面図である。
【図１７】ノイズ信号とノイズキャンセル信号を示すグラフ図である。
【符号の説明】
【０１０８】
１…音声入出力装置、２…耳介装着部、３…耳介装着部、４…接続コード、５…プラグ、６…第１のマイク、７…第１のスピーカー、８…第２のマイク、９…第２のスピーカー、１１…第１の導体、１１ａ…電極部、１１ｂ…嵌合部、１２…第１の絶縁体、１３…第２の導体、１３ａ…電極部、１３ｂ…嵌合部、１４…第２の絶縁体、１５…第３の導体、１５ａ…電極部、１５ｂ…嵌合部、１６…第３の絶縁体、１７…第４の導体、１８…第４の絶縁体、１９…第５の導体、１９ｄ…接続用突部、２２…外部機器、２３…ジャック、３９…音声信号再生手段、４０…ノイズキャンセル信号生成手段、１００…耳介、２００…耳介
【図１】
2008067147.tif 000003
【図２】
2008067147.tif 000004
【図３】
2008067147.tif 000005
【図４】
2008067147.tif 000006
【図５】
2008067147.tif 000007
【図６】
2008067147.tif 000008
【図７】
2008067147.tif 000009
【図８】
2008067147.tif 000010
【図９】
2008067147.tif 000011
【図１０】
2008067147.tif 000012
【図１１】
2008067147.tif 000013
【図１２】
2008067147.tif 000014
【図１３】
2008067147.tif 000015
【図１４】
2008067147.tif 000016
【図１５】
2008067147.tif 000017
【図１６】
2008067147.tif 000018
【図１７】
2008067147.tif 000019